(57)【要約】      （修正有）【課題】シリコーンオイル、極性の高い成分、及び粉体を含む化粧料における分散状態を安定に維持し、且つ、皮膚親和性に優れた化粧料を与えるオルガノポリシロキサン及びそれを含む化粧料を提供する。【解決手段】下記式（１）で示されるオルガノポリシロキサン。2011026498.tif 000065[式（１）中、Ｒ１は、互いに独立して炭素数１から３０のアラルキル基、炭素数１から３０のフッ素置換アルキル基、炭素数６から３０のアリール基、および炭素数６から３０のアラルキル基から選ばれる基であり、Ｒ２はスクシニル基から誘導されたカルボキシル基およびエステル基を含有する基。］【選択図】なし【特許請求の範囲】
【請求項１】
下記式（１）で示されるオルガノポリシロキサン。
2011026498.tif 000058
[式（１）中、Ｒ１は、互いに独立に、Ｃ１−３０アルキル基、Ｃ１−３０フッ素置換アルキル基、Ｃ６−３０アリール基、及びＣ６−３０アラルキル基から選ばれる基であり、
Ｒ２は、互いに独立に、下記式（３）で示される基、
2011026498.tif 000059
及び下記式（４）で示される基から選ばれる基であり、
2011026498.tif 000060
｛式（３）及び（４）において、Ｒ４及びＲ５のうちの一方は、Ｃ８−４０脂肪族炭化水素基、下記式（５）で示される基、
2011026498.tif 000061
（式（５）において、ｑは２〜５の整数、ｇは１〜５０の整数、Ｒ７は水素原子又はＣ１−３０脂肪族炭化水素基である）
及び下記式（６）で示される基から選ばれる基であり、
2011026498.tif 000062
（式（６）において、ｈは１〜１０の整数、ｒは０又は１、Ｒ８は水素原子又はＣ１−３０脂肪族炭化水素基、但し、ｒが０の場合には水素原子であり、ｒが１の場合にはＣ１−３０脂肪族炭化水素基、である）
他方は水素原子、アルカリ金属原子、アンモニウムイオン又はアルキルアンモニムイオンであり、
ｐは２〜２０の整数である}
Ａは下記式（７）で示される基であり、
2011026498.tif 000063
（式（７）において、Ｒ１は上述のとおりであり、ｋは１〜５の整数、ｈは０〜５００の整数である）
ａ及びｂは、０〜３の整数であり、
ｃは０〜１００の整数、但し、１≦ａ＋ｂ＋ｃであり、
ｄは０〜２，０００の整数であり、
ｅは０〜５００の整数であり、
ｆは０〜５００の整数である］
【請求項２】
ＧＰＣで測定されるポリスチレン換算の数平均分子量が３００〜３００，０００である、請求項１に係るオルガノポリシロキサン。
【請求項３】
下記式（２）で示される請求項１又は２に係るオルガノポリシロキサン。
2011026498.tif 000064
式（２）において、Ｒ１、Ｒ２については上述のとおりであり、ｄは０〜２００の整数である。
【請求項４】
Ｒ１がメチル基及びブチル基から選ばれる基であり、Ｒ４及びＲ５のうちの一方がＣ８−２０アルキル基であり、他方が水素原子である、請求項１〜３のいずれか１項に係るオルガノポリシロキサン。
【請求項５】
請求項１〜４のいずれか１項に記載されたオルガノポリシロキサンを、化粧料総質量の０．１〜４０質量％含有する化粧料。
【請求項６】
水をさらに含み、エマルジョンの形態である、請求項５記載の化粧料。
【請求項７】
エステル油、グリセライド油又はこれらの混合物をさらに含み、非水エマルジョンの形態である、請求項５に係る化粧料。
【請求項８】
粉体をさらに含み、該粉体が分散された、液状、ペースト状又は固体状である、請求項５又は７に係る化粧料。
【発明の詳細な説明】
【技術分野】
【０００１】
本発明は、オルガノポリシロキサン及びそれを含む化粧料に関し、詳細にはエステル基を有し、シリコーン以外の油剤との相溶性に優れ、分散性、皮膚親和性に優れたオルガノポリシロキサン及びそれを含む化粧料に関する。
【背景技術】
【０００２】
シリコーンオイルは、その安全性等のために諸分野において油剤として用いられている。化粧品においても多用されており、スキンケア、メイキャップ化粧品等の用途においては、特に１００ｍｍ2／ｓ以下の低粘度シリコーンオイルが、その優れた伸展性、さっぱり感及び安全性により広く使用されている。
【０００３】
ところが、油剤として該シリコーンオイルのみを用いると、皮膚への密着感、モイスチャー性などが不足した化粧料となり易い。そのため、炭化水素油、エステル油、植物油などの有機油剤が併用される。しかしながら、シリコーンオイル、特にジメチルポリシロキサンは無極性の油剤であり、エステル油、紫外線吸収剤、天然動植物油などの極性の高い油剤と組み合わせると、時間の経過と共に相分離を起こし易く、経時安定性に問題がある。
【０００４】
この問題を解決するために、シリコーンオイルと有機油剤との相溶化剤として、分子中にフェニル基、あるいは長鎖アルキル基を有するシリコーン（特許文献１）、長鎖アルキル基とポリオキシエチレン基を有するシリコーン（特許文献２）が提案されている。しかし、これらを含む化粧料は、皮膚への密着感、化粧持ち等、皮膚との親和性の点で満足の行くものではない。
【０００５】
シリコーンに極性基、例えばカルボキシル基、アミド基、エステル基を導入したものも知られている。たとえば、下記式で表される基を有するシリコーン（特許文献３）、
2011026498.tif 000002
下記式で表される基を有するシリコーン（特許文献４）、
−（Ｒ１Ｏ）ａ−Ｒ２−（ＯＲ３）ｂ−ＣＯＯＭ
（Ｍは水素、アルカリ金属、アンモニウム等）
及び、下記式で表される基を有するシリコーン（特許文献５）、
2011026498.tif 000003
（上式で、Ｘは−Ｏ−又は−ＮＨ−、Ｍは水素原子、金属、アンモニウム等）
下記式で表される基を有するシリコーン（特許文献６、特許文献７）、
2011026498.tif 000004
（ＭはＨ、ヒドロキシ基若しくはアルコキシ基で置換された１〜４個の炭素原子を有するアルキル基、陽イオン等）
が知られている。しかし、これらのシリコーンも上記極性の高い溶剤を含む系における該油剤との相溶性、また、皮膚との親和性等の点で、満足の行くものではない。
【先行技術文献】
【特許文献】
【０００６】
【特許文献１】特開２００７−１５３７５１号公報
【特許文献２】特開２００１−０３９８１９号公報
【特許文献３】特表平１１−５０４６６５号公報
【特許文献４】特開２００４−３０７５２０号公報
【特許文献５】特開２００２−１１４８４９号公報
【特許文献６】特表２００５−５２４７４７号公報
【特許文献７】特表２００５−５２６８４５号公報
【発明の概要】
【発明が解決しようとする課題】
【０００７】
そこで、本発明はシリコーンオイルと、極性の高い紫外線吸収剤、エステル油等、さらには粉体を含む化粧料における分散状態を安定に維持し、且つ、皮膚親和性に優れた化粧料を与えることができるオルガノポリシロキサン及びそれを含む化粧料を提供することを目的とする。
【課題を解決するための手段】
【０００８】
すなわち、本発明は下記式（１）で示されるオルガノポリシロキサンである。
2011026498.tif 000005
[式（１）中、Ｒ１は、互いに独立に、Ｃ１−３０アルキル基、Ｃ１−３０フッ素置換アルキル基、Ｃ６−３０アリール基、及びＣ６−３０アラルキル基から選ばれる基であり、
Ｒ２は、互いに独立に、下記式（３）で示される基、
2011026498.tif 000006
及び下記式（４）で示される基から選ばれる基であり、
2011026498.tif 000007
｛式（３）及び（４）において、Ｒ４及びＲ５のうちの一方は、Ｃ８−４０脂肪族炭化水素基、下記式（５）で示される基、
2011026498.tif 000008
（式（５）において、ｑは２〜５の整数、ｇは１〜５０の整数、Ｒ７は水素原子又はＣ１−３０脂肪族炭化水素基である）
及び下記式（６）で示される基から選ばれる基であり、
2011026498.tif 000009
（式（６）において、ｈは１〜１０の整数、ｒは０又は１、Ｒ８は水素原子又はＣ１−３０脂肪族炭化水素基、但し、ｒが０の場合には水素原子であり、ｒが１の場合にはＣ１−３０脂肪族炭化水素基、である）
他方は水素原子、アルカリ金属原子、アンモニウムイオン又はアルキルアンモニムイオンであり、
ｐは２〜２０の整数である}
Ａは下記式（７）で示される基であり、
2011026498.tif 000010
（式（７）において、Ｒ１は上述のとおりであり、ｋは１〜５の整数、ｈは０〜５００の整数である）
ａ及びｂは、０〜３の整数であり、
ｃは０〜１００の整数、但し、１≦ａ＋ｂ＋ｃであり、
ｄは０〜２，０００の整数であり、
ｅは０〜５００の整数であり、
ｆは０〜５００の整数である］
【発明の効果】
【０００９】
上記本発明のオルガノポリシロキサンは、乳化性、分散性に優れ、経時安定性及び皮膚密着性に優れた化粧料を形成することができる。特に、粉体を含有する化粧料において前記オルガノポリシロキサンを配合すると、粉体処理効果（耐水性、耐皮脂性、油剤への分散安定性）により、粉体が高度に分散された化粧料を形成することができる。
【発明を実施するための形態】
【００１０】
上記式（１）、Ｒ１に関し、Ｃ１−３０アルキル基としては、メチル基、エチル基、プロピル基、ブチル基、ペンチル基、ヘキシル基、ヘプチル基、オクチル基、ノニル基、デシル基等のアルキル基、シクロペンチル基、シクロヘキシル基等のシクロアルキル基が挙げられる。Ｃ１−３０フッ素置換アルキル基としては、トリフロロプロピル基、ヘプタデカフロロデシル基等が、Ｃ６−３０アリール基としては、フェニル基及びトリル基が、Ｃ６−３０のアラルキル基としては、ベンジル基、及びフェネチル基等が挙げられる。
【００１１】
Ｒ１は、下記式（ｉ）で示される基であってもよい。
−ＣｍＨ２ｍ−Ｏ−（Ｃ２Ｈ４Ｏ）ｉ（Ｃ３Ｈ６Ｏ）ｊＲ３          （ｉ）
式（２）において、Ｒ３は水素原子、Ｃ１−３０脂肪族炭化水素基又はＲ６−（ＣＯ）−で示される有機基、ここでＲ６は水素原子、又はＣ１−３０脂肪族炭化水素基であり、ｍは０〜１５の整数、好ましくは０〜５の整数、ｉは０〜５０、好ましくは０〜２０の整数である。ｊは０〜５０、好ましくは０〜２０の整数である。
【００１２】
上記Ｃ１−３０脂肪族炭化水素基としては、メチル基、エチル基、ブチル基、ラウリル基、セチル基、ステアリル基等のアルキル基、シクロペンチル基、シクロヘキシル基等のシクロアルキル基が挙げられる。好ましくはメチル基及びエチル基である。
【００１３】
式（２）は、例えば、ｍ＝０、ｉ＝０、ｊ＝０の場合は、−ＯＲ３で表され、Ｃ１−３０アルコキシ基、例えばブトキシ基などの低級アルコキシ基、オレイロキシ基、ステアロキシ基などの高級アルコキシ基が挙げられる。この場合、−ＯＲ３の加水分解性を利用する用途に使用することができる。Ｒ３がＲ６−（ＣＯ）−の場合には、−Ｏ−（ＣＯ）−Ｒ６で表され、酢酸、酪酸、オレイン酸、ステアリン酸、ベヘニル酸などの酸残基が挙げられる。
【００１４】
式（２）において、１≦ｍ、ｉ＝０、ｊ＝０の場合には、−ＣｍＨ２ｍ−Ｏ−Ｒ３で表され、例えばアルキルオキシエチル基、アルキルオキシプロピル基が挙げられる。ｍが３、５あるいは１１が好ましく、ステアリルオキシプロピル基、ベヘニルオキシペンチル基、オレイルオキシウンデシル基などがあげられる。ｉもしくはｊが０でない場合は、ポリオキシアルキレンオキシアルキル基となる。油臭が少ない点で、好ましくは、ｍは３〜１１である。
【００１５】
好ましくは、Ｒ１はＣ１−１５アルキル基、又はフェニル基であり、より好ましくはメチル基及びブチル基から選ばれる。さらに、Ｒ１の５０％以上がメチル基であることが好ましく、最も好ましくはＲ１の７０％以上がメチル基である。
【００１６】
Ｒ２は、互いに独立に、下記式（３）で示される基、
2011026498.tif 000011
及び下記式（４）で示される基から選ばれる基である。
2011026498.tif 000012
【００１７】
式（３）及び（４）において、Ｒ４及びＲ５のうちの一方は、Ｃ８−４０脂肪族炭化水素基、下記式（５）で示される基、
2011026498.tif 000013
（式（５）において、ｑは２〜５の整数、ｇは１〜５０の整数、Ｒ７は水素原子又はＣ１−３０脂肪族炭化水素基である）
及び下記式（６）で示される基から選ばれる基である。
2011026498.tif 000014
（式（６）において、ｈは１〜１０の整数、ｒは０又は１、Ｒ８は水素原子又はＣ１−３０脂肪族炭化水素基であり、但し、ｒが０の場合には水素原子であり、ｒが１の場合にはＣ１−３０脂肪族炭化水素基である。）
【００１８】
Ｒ４及びＲ５に関し、Ｃ８−４０脂肪族炭化水素基の例としては、ヘキシル基、ヘプチル基、オクチル基、ノニル基、デシル基、ラウリル基、セチル基、ステアリル基、ベヘニル基等のアルキル基、オクテニル基、ノネニル基、デセニル基、ウンデセニル基、ドデセニル基、オレイル基等のアルケニル基、ジメチルシクロヘキシル基等のシクロアルキル基が挙げられる。炭素原子数が８未満であると、シリコーン以外の油剤との相溶性が不十分である。一方、４０を越えるものは、原料として使用するアルコール性水酸基含有化合物の酸無水物基との反応性が悪く、純度の低いオルガノポリシロキサンが得られる傾向がある。好ましくは、Ｒ４はＣ８−３０アルキル基、より好ましくはＣ８−２０アルキル基であり、Ｒ５は水素原子である。
【００１９】
式（５）で表される基は、モノもしくはポリグリコールモノエーテル、例えばトリプロピレングリコールモノウンデシルエーテル、から導出することができる。式（５）において、Ｒ７に関し、Ｃ１−３０脂肪族炭化水素基としては、メチル基、エチル基、プロピル基、ブチル基、ペンチル基、ヘキシル基、ヘプチル基、オクチル基、ノニル基、デシル基等のアルキル基、オクテニル基、ノネニル基、デセニル基、ウンデセニル基、ドデセニル基、オレイル基等のアルケニル基、シクロペンチル基、シクロヘキシル基等のシクロアルキル基が例示される。好ましくは、Ｒ７はＣ８−３０アルキル基、より好ましくはＣ８−２０アルキル基である。また、ｑは２または４、ｇは１〜２０の整数であることが好ましい。
【００２０】
式（６）の基は、モノもしくはポリグリセリンのモノもしくはジエステル、例えば、モノオレイン酸グリセリル、から導出される。Ｒ８に関し、Ｃ１−３０脂肪族炭化水素基としては、上記Ｒ７に関して列挙したものが包含される。ｈは１〜１０の整数、好ましくは１〜５の整数である。ｒが０のものは、グリセリンのモノエステルから導出され、ｒが１のものは、ジエステルから導出される。
【００２１】
Ｒ４及びＲ５のうちの他方は、カチオン性の基であり、水素原子、リチウム、ナトリウム、カリウム等のアルカリ金属原子、又はアンモニウムイオン、アルキルアンモニウムイオン等である。好ましくは、水素原子、ナトリウム、又はカリウム原子であり、より好ましくは水素原子である。
【００２２】
式（３）及び（４）において、ｐは２〜２０、好ましくは２〜１０、の整数である。
【００２３】
Ａは下記式（５）で示される基である。
2011026498.tif 000015
式（５）において、Ｒ１は上述のとおりであり、ｋは１〜５、好ましくは２〜４、の整数であり、ｈは０〜５００、好ましくは３〜１００、より好ましくは３〜６０の整数である。
【００２４】
式（１）において、ａ及びｂは０〜３の整数であり、ｃは０〜１００、好ましくは０〜５０の整数、但し、ａ＋ｂ＋ｃは１以上、好ましくは１〜３０の整数である。ａ＋ｂ＋ｃが１００を超えるオルガノポリシロキサンは、粘度が高く、取り扱い難い。
【００２５】
ｄは０〜２，０００、好ましくは０〜５００  の整数であり、ｅは０〜５００、好ましくは０〜１００の整数であり、ｑは０〜１０、好ましくは０〜４の整数である。
【００２６】
該オルガノポリシロキサンのＧＰＣで測定されるポリスチレン換算の数平均分子量は３００〜３００，０００が好ましく、より好ましくは５００〜１００，０００である。特に粉体の分散剤として使用する場合は、その重量平均分子量が５００〜１０，０００であることが好ましく、より好ましくは５００〜５，０００である。
【００２７】
好ましくは、本発明のオルガノポリシロキサンは下記式（２）で表される。
2011026498.tif 000016
式（２）において、Ｒ１、Ｒ２については上述のとおりであり、ｄは０〜２００の整数、好ましくは０〜１００、より好ましくは２０〜８０、最も好ましくは１０〜５０の整数である。
【００２８】
本発明のオルガノポリシロキサンは、以下の方法で合成することができる。
（工程１）オルガノハイドロジェンポリシロキサンと、下記式（１０）で示される化合物を白金触媒又はロジウム触媒の存在下に付加反応させ、酸無水物基含有オルガノポリシロキサンを合成する。
2011026498.tif 000017
（式（１０）中ｐは上述のとおりである）
（工程２）（工程１）で合成された酸無水物基含有オルガノポリシロキサンとアルコール性水酸基を有する化合物と反応させて、酸無水物基を開環させる。さらに、工程２で得られたカルボン酸を水酸化ナトリウム、アンモニア水等と反応させることによって、Ｒ６がアルカリ金属原子、アンモニウムイオンであるものを得ることができる。
【００２９】
上記式（１０）で示される化合物としては、コハク酸無水物誘導体、例えば、無水ビニルコハク酸、無水アリルコハク酸、無水ヘキセニルコハク酸等が挙げられ、好ましくは無水アリルコハク酸が使用される。
【００３０】
本発明のオルガノポリシロキサンが、上記式（ｉ）で表されるＲ１を有する場合には、工程１において下記式（８）：
ＣｍＨ（２ｍ―１）−Ｏ−（Ｃ２Ｈ４Ｏ）ｉ（Ｃ３Ｈ６Ｏ）ｊ−Ｒ３    （８）
で示される不飽和基とポリオキシアルキレン基を有する化合物を、上記式（１０）の化合物と共に、付加反応に付する。また、オルガノポリシロキサンが、式（７）の基を有する場合には、下記式（９）で示される不飽和基を有するシリコーン化合物を、
2011026498.tif 000018
（式（８）、（９）において、Ｒ１、Ｒ３、ｍ、ｉ、ｊ、ｋ、ｈは上記のとおりである）
上記式（１０）の化合物と共に、付加反応に付する。
【００３１】
工程１において、オルガノハイドロジェンポリシロキサンと上記式（８）、（９）、（１０）で示される不飽和基含有化合物の合計の反応割合は、ＳｉＨ基と不飽和基のモル比で０．５〜２．０、好ましくは０．８〜１．２である。
【００３２】
また、上記付加反応は、白金触媒又はロジウム触媒の存在下で行うことが望ましく、例えば、塩化白金酸、アルコール変性塩化白金酸、塩化白金酸−ビニルシロキサン錯体等が好適に使用される。なお、触媒の使用量は、触媒として有効な量であってよいが、白金又はロジウム量で５０ｐｐｍ以下、好ましくは２０ｐｐｍ以下である。
【００３３】
上記付加反応は、必要に応じて有機溶剤中で行ってもよく、有機溶剤としては、例えばトルエン、キシレン等の芳香族炭化水素、ｎ−ペンタン、ｎ−ヘキサン、シクロヘキサン等の脂肪族または脂環式炭化水素、ジクロロメタン、クロロホルム、四塩化炭素等のハロゲン化炭化水素、テトラヒドロフラン、ジオキサンなどのエーテル、アセトン、メチルエチルケトンなどのケトンが挙げられる。好ましく無溶剤か、炭化水素溶剤又はエーテル系溶剤を使用する。
【００３４】
付加反応条件は特に限定されないが、溶剤を用いた場合にはその還流下で、１〜１０時間反応させることが好適である。
【００３５】
工程２で使用されるアルコール性水酸基含有化合物として、ヘキサノール、オクタノール、ドデカノール、ペンタデカノール、ドコサノール、トリアコンタノール等の直鎖或いは分岐アルキルアルコール、オレイルアルコール等の不飽和アルコール、シクロペンタノール、シクロヘキサノール等のシクロアルキルアルコール、フェノール、オクチルフェノール等のアリールアルコール、ベンジルアルコール、フェネチルアルコール等のアラルキルアルコール、ポリエチレングリコールモノオクチルエーテル、ポリエチレングリコールモノオレイルエーテル、ポリプロピレングリコールモノステアリルエーテルなどのポリグリコールエーテル類、モノオクチルグリセリンエーテル、モノステアリルグリセリンエーテル、モノイソステアリン酸グリセリル、モノオレイン酸グリセリル、ジイソステアリン酸グリセリル、モノオレイン酸ジグリセリル、トリイソステアリン酸ジグリセリル、テトラオクチル酸トリグリセリル等のグリセリン誘導体類などが挙げられる。好ましくはドデカノール、オレイルアルコール、ポリエチレングリコールモノオレイルエーテル、モノオレイン酸グリセリル、ジイソステアリン酸グリセリルが使用される。
【００３６】
上記開環反応は無触媒でも容易に進行するが、酢酸カリウム、酢酸ナトリムなどの無機塩を触媒としても良い。また、必要に応じて溶媒中で行っても良く、有機溶剤としては、例えばトルエン、キシレン等の芳香族炭化水素、ｎ−ペンタン、ｎ−ヘキサン、シクロヘキサン等の脂肪族または脂環式炭化水素、ジクロロメタン、クロロホルム、四塩化炭素等のハロゲン化炭化水素、テトラヒドロフラン、ジオキサンなどのエーテル、アセトン、メチルエチルケトンなどのケトンが挙げられるが、好ましく無溶剤か、炭化水素溶剤又はエーテル系溶剤を使用する。
【００３７】
本発明のオルガノポリシロキサンは、皮膚や毛髪に外用される化粧料に好適に使用される。特に、化粧料に慣用されているシリコーンと、水、グリコール、エステル油、グリセライド油等の極性溶剤とを含む化粧料の乳化剤として、また、粉体を含む化粧料の分散剤として好適である。該オルガノポリシロキサンの配合量は、化粧品総質量の０．１〜４０質量％、好ましくは０．５〜２０質量％、の範囲が好適である。粉体を含む化粧料の場合には、粉体１００質量部に対して５〜４０質量部、好ましくは５〜３０質量部、用いる。
【００３８】
本発明の化粧料には、その目的に応じて１種又は２種以上の油剤を配合することができる。通常の化粧料に使用されるものであれば、固体、半固体、液状、いずれの油剤も使用することができ、例えば、天然動植物油脂類及び半合成油脂、炭化水素油、高級アルコール、エステル油、慣用のシリコーン油、フッ素系油剤を用いることができる。
【００３９】
天然動植物油脂類及び半合成油脂としては、例えばアボガド油、アマニ油、アーモンド油、イボタロウ、エノ油、オリーブ油、カカオ脂、カポックロウ、カヤ油、カルナウバロウ、肝油、キャンデリラロウ、精製キャンデリラロウ、牛脂、牛脚脂、牛骨脂、硬化牛脂、キョウニン油、鯨ロウ、硬化油、小麦胚芽油、ゴマ油、コメ胚芽油、コメヌカ油、サトウキビロウ、サザンカ油、サフラワー油、シアバター、シナギリ油、シナモン油、ジョジョバロウ、スクワラン、スクワレン、セラックロウ、タートル油、大豆油、茶実油、ツバキ油、月見草油、トウモロコシ油、豚脂、ナタネ油、日本キリ油、ヌカロウ、胚芽油、馬脂、パーシック油、パーム油、パーム核油、ヒマシ油、硬化ヒマシ油、ヒマシ油脂肪酸メチルエステル、ヒマワリ油、ブドウ油、ベイベリーロウ、ホホバ油、マカデミアナッツ油、ミツロウ、ミンク油、メドウフォーム油、綿実油、綿ロウ、モクロウ、モクロウ核油、モンタンロウ、ヤシ油、硬化ヤシ油、トリヤシ油脂肪酸グリセライド、羊脂、落花生油、ラノリン、液状ラノリン、還元ラノリン、ラノリンアルコール、硬質ラノリン、酢酸ラノリン、酢酸ラノリンアルコール、ラノリン脂肪酸イソプロピル、ＰＯＥラノリンアルコールエーテル、ＰＯＥラノリンアルコールアセテート、ラノリン脂肪酸ポリエチレングリコール、ＰＯＥ水素添加ラノリンアルコールエーテル、卵黄油等が挙げられる。但し、ＰＯＥはポリオキシエチレンを意味する。
【００４０】
炭化水素油としては、直鎖状、分岐状、さらに揮発性の炭化水素油等が挙げられ、具体的には、オゾケライト、α−オレフィンオリゴマー、軽質イソパラフィン、イソドデカン、イソヘキサデカン、軽質流動イソパラフィン、スクワラン、合成スクワラン、植物性スクワラン、スクワレン、セレシン、パラフィン、パラフィンワックス、ポリエチレンワックス、ポリエチレン・ポリプロピレンワックス、（エチレン／プロピレン／スチレン）コポリマー、（ブチレン／プロピレン／スチレン）コポリマー、流動パラフィン、流動イソパラフィン、プリスタン、ポリイソブチレン、水添ポリイソブテン、マイクロクリスタリンワックス、ワセリン等；高級脂肪酸としては、ラウリン酸、ミリスチン酸、パルミチン酸、ステアリン酸、ベヘン酸、ウンデシレン酸、オレイン酸、リノール酸、リノレン酸、アラキドン酸、エイコサペンタエン酸（ＥＰＡ）、ドコサヘキサエン酸（ＤＨＡ）、イソステアリン酸、１２−ヒドロキシステアリン酸等が挙げられる。
【００４１】
高級アルコールとしては、ラウリルアルコール、ミリスチルアルコール、パルミチルアルコール、ステアリルアルコール、ベヘニルアルコール、ヘキサデシルアルコール、オレイルアルコール、イソステアリルアルコール、ヘキシルドデカノール、オクチルドデカノール、セトステアリルアルコール、２−デシルテトラデシノール、コレステロール、フィトステロール、ＰＯＥコレステロールエーテル、モノステアリルグリセリンエーテル（バチルアルコール）、モノオレイルグリセリルエーテル（セラキルアルコール）等が挙げられる。
【００４２】
エステル油としては、アジピン酸ジイソブチル、アジピン酸２−ヘキシルデシル、アジピン酸ジ−２−ヘプチルウンデシル、モノイソステアリン酸Ｎ−アルキルグリコール、イソステアリン酸イソセチル、トリイソステアリン酸トリメチロールプロパン、ジ−２−エチルヘキサン酸エチレングリコール、２−エチルヘキサン酸セチル、トリ−２−エチルヘキサン酸トリメチロールプロパン、テトラ−２−エチルヘキサン酸ペンタエリスリトール、オクタン酸セチル、オクチルドデシルガムエステル、オレイン酸オレイル、オレイン酸オクチルドデシル、オレイン酸デシル、ジオクタン酸ネオペンチルグリコール、ジカプリン酸ネオペンチルグリコール、クエン酸トリエチル、コハク酸２−エチルヘキシル、酢酸アミル、酢酸エチル、酢酸ブチル、ステアリン酸イソセチル、ステアリン酸ブチル、セバシン酸ジイソプロピル、セバシン酸ジ−２−エチルヘキシル、乳酸セチル、乳酸ミリスチル、イソノナン酸イソノニル、イソノナン酸イソトリデシル、パルミチン酸イソプロピル、パルミチン酸２−エチルヘキシル、パルミチン酸２−ヘキシルデシル、パルミチン酸２−ヘプチルウンデシル、１２−ヒドロキシステアリル酸コレステリル、ジペンタエリスリトール脂肪酸エステル、ミリスチン酸イソプロピル、ミリスチン酸オクチルドデシル、ミリスチン酸２−ヘキシルデシル、ミリスチン酸ミリスチル、ジメチルオクタン酸ヘキシルデシル、ラウリン酸エチル、ラウリン酸ヘキシル、Ｎ−ラウロイル−Ｌ−グルタミン酸−２−オクチルドデシルエステル、ラウロイルサルコシンイソプロピルエステル、リンゴ酸ジイソステアリル等；グリセライド油としては、アセトグリセリル、トリイソオクタン酸グリセリル、トリイソステアリン酸グリセリル、トリイソパルミチン酸グリセリル、トリベヘン酸グリセリル、モノステアリン酸グリセリル、ジ−２−ヘプチルウンデカン酸グリセリル、トリミリスチン酸グリセリル、ミリスチン酸イソステアリン酸ジグリセリル等が挙げられる。
【００４３】
シリコーン油としては、ジメチルポリシロキサン、トリストリメチルシロキシメチルシラン、カプリリルメチコン、フェニルトリメチコン、テトラキストリメチルシロキシシラン、メチルフェニルポリシロキサン，メチルヘキシルポリシロキサン、メチルハイドロジェンポリシロキサン、ジメチルシロキサン・メチルフェニルシロキサン共重合体等の低粘度から高粘度の直鎖或いは分岐状のオルガノポリシロキサン、オクタメチルシクロテトラシロキサン、デカメチルシクロペンタシロキサン、ドデカメチルシクロヘキサシロキサン，テトラメチルテトラハイドロジェンシクロテトラシロキサン、テトラメチルテトラフェニルシクロテトラシロキサン等の環状オルガノポリシロキサン、アミノ変性オルガノポリシロキサン、ピロリドン変性オルガノポリシロキサン、ピロリドンカルボン酸変性オルガノポリシロキサン、高重合度のガム状ジメチルポリシロキサン、ガム状アミノ変性オルガノポリシロキサン、ガム状のジメチルシロキサン・メチルフェニルシロキサン共重合体等のシリコーンゴム、及びシリコーンガムやゴムの環状オルガノポリシロキサン溶液、トリメチルシロキシケイ酸、トリメチルシロキシケイ酸の環状シロキサン溶液、ステアロキシリコーン等の高級アルコキシ変性シリコーン、高級脂肪酸変性シリコーン、アルキル変性シリコーン、長鎖アルキル変性シリコーン、アミノ酸変性シリコーン、フッ素変性シリコーン、シリコーン樹脂及びシリコーンレジンの溶解物等が挙げられる。
フッ素系油剤としては、パーフルオロポリエーテル、パーフルオロデカリン、パーフルオロオクタン等が挙げられる。これら油剤の配合量は、剤系によっても異なるが、化粧料全体の１〜９８質量％の範囲が好適である。
【００４４】
本発明の化粧料には、その目的に応じて水を配合することも出来る。その配合量は、剤系によっても異なるが、化粧料全体の１〜９５質量％の範囲が好適である。
【００４５】
本発明の化粧料には、その目的に応じて、Ｃ２−５低級アルコール、Ｃ２−１０多価アルコールを１種又は２種以上、用いることもできる。該アルコールとしては、エタノール、イソプロパノール等の低級アルコール、ソルビトール、マルトース等の糖アルコール等があり、コレステロール、シトステロール、フィトステロール、ラノステロール等のステロール、ブチレングリコール、プロピレングリコール、ジブチレングリコール、ペンチレングリコール等の多価アルコール等がある。配合量としては、化粧料全体の０．１〜９８質量％の範囲が好適である。
【００４６】
本発明の化粧料には、その目的に応じて水溶性或いは水膨潤性高分子を用いることができる。なかでも、植物系高分子、微生物系高分子、動物系高分子、デンプン系高分子、セルロース系高分子、アルギン酸系高分子、ポリオキシエチレンポリオキシプロピレン共重合体系高分子、アクリル系高分子、及び無機系水溶性高分子から選ばれる１種又は２種以上の水溶性増粘剤が好ましく使用される。例えば、アラビアゴム、トラガカント、ガラクタン、キャロブガム、グアーガム、カラヤガム、カラギーナン、ペクチン、寒天、クインスシード（マルメロ）、デンプン（コメ、トウモロコシ、バレイショ、コムギ等）、アルゲコロイド、トラントガム、ローカストビーンガム等の植物系高分子、キサンタンガム、デキストラン、サクシノグルカン、プルラン等の微生物系高分子、コラーゲン、カゼイン、アルブミン、ゼラチン等の動物系高分子、カルボキシメチルデンプン、メチルヒドロキシプロピルデンプン等のデンプン系高分子、メチルセルロース、エチルセルロース、メチルヒドロキシプロピルセルロース、カルボキシメチルセルロース、ヒドロキシメチルセルロース、ヒドロキシプロピルセルロース、ニトロセルロース、セルロース硫酸ナトリウム、カルボキシメチルセルロースナトリウム、結晶セルロース、セルロース末のセルロース系高分子、アルギン酸ナトリウム、アルギン酸プロピレングリコールエステル等のアルギン酸系高分子、ポリビニルメチルエーテル、カルボキシビニルポリマー等のビニル系高分子、ポリオキシエチレン系高分子、ポリオキシエチレンポリオキシプロピレン共重合体系高分子、ポリアクリル酸ナトリウム、ポリエチルアクリレート、ポリアクリルアミド、アクリロイルジメチルタウリン塩コポリマー等のアクリル系高分子、ポリエチレンイミン、カチオンポリマーなど他の合成水溶性高分子、ベントナイト、ケイ酸アルミニウムマグネシウム、モンモリロナイト、バイデライト、ノントロナイト、サポナイト、ヘクトライト、無水ケイ酸等の無機系水溶性高分子などがある。配合量としては、化粧料全体の０．１〜２５質量％の範囲が好適である。
【００４７】
本発明の化粧料には、その目的に応じて、粉体を１種又は２種以上、用いることもできる。粉体としては、通常の化粧料に使用されるものであれば、その形状（球状、針状、板状等）や粒子径（煙霧状、微粒子、顔料級等）、粒子構造（多孔質、無孔質等）を問わず、いずれのものも使用することができ、例えば無機粉体、有機粉体、界面活性剤金属塩粉体、有色顔料、パール顔料、金属粉末顔料、天然色素等があげられ、具体的には、無機粉体としては、酸化チタン、酸化ジルコニウム、酸化亜鉛、酸化セリウム、酸化マグネシウム、硫酸バリウム、硫酸カルシウム、硫酸マグネシウム、炭酸カルシウム、炭酸マグネシウム、タルク、マイカ、カオリン、セリサイト、白雲母、合成雲母、金雲母、紅雲母、黒雲母、リチア雲母、ケイ酸、無水ケイ酸、ケイ酸アルミニウム、ケイ酸マグネシウム、ケイ酸アルミニウムマグネシウム、ケイ酸カルシウム、ケイ酸バリウム、ケイ酸ストロンチウム、タングステン酸金属塩、ヒドロキシアパタイト、バーミキュライト、ハイジライト、ベントナイト、モンモリロナイト、ヘクトライト、ゼオライト、セラミックスパウダー、第二リン酸カルシウム、アルミナ、水酸化アルミニウム、窒化ホウ素、窒化ボロン、シリカ等；有機粉体としては、ポリアミドパウダー、ポリエステルパウダー、ポリエチレンパウダー、ポリプロピレンパウダー、ポリスチレンパウダー、ポリウレタン、ベンゾグアナミンパウダー、ポリメチルベンゾグアナミンパウダー、テトラフルオロエチレンパウダー、ポリメチルメタクリレートパウダー、セルロース、シルクパウダー、ナイロンパウダー、１２ナイロン、６ナイロン、シリコーンパウダー、スチレン・アクリル酸共重合体、ジビニルベンゼン・スチレン共重合体、ビニル樹脂、尿素樹脂、フェノール樹脂、フッ素樹脂、ケイ素樹脂、アクリル樹脂、メラミン樹脂、エポキシ樹脂、ポリカーボネイト樹脂、微結晶繊維粉体、デンプン末、ラウロイルリジン等；界面活性剤金属塩粉体（金属石鹸）としては、ステアリン酸亜鉛、ステアリン酸アルミニウム、ステアリン酸カルシウム、ステアリン酸マグネシウム、ミリスチン酸亜鉛、ミリスチン酸マグネシウム、セチルリン酸亜鉛、セチルリン酸カルシウム、セチルリン酸亜鉛ナトリウム等；有色顔料としては、酸化鉄、水酸化鉄、チタン酸鉄の無機赤色顔料、γー酸化鉄等の無機褐色系顔料、黄酸化鉄、黄土等の無機黄色系顔料、黒酸化鉄、カーボンブラック等の無機黒色顔料、マンガンバイオレット、コバルトバイオレット等の無機紫色顔料、水酸化クロム、酸化クロム、酸化コバルト、チタン酸コバルト等の無機緑色顔料、紺青、群青等の無機青色系顔料、タール系色素をレーキ化したもの、天然色素をレーキ化したもの、及びこれらの粉体を複合化した合成樹脂粉体等；パール顔料としては、酸化チタン被覆雲母、酸化チタン被覆マイカ、オキシ塩化ビスマス、酸化チタン被覆オキシ塩化ビスマス、酸化チタン被覆タルク、魚鱗箔、酸化チタン被覆着色雲母等；金属粉末顔料としては、アルミニウムパウダー、カッパーパウダー、ステンレスパウダー等；タール色素としては、赤色３号、赤色１０４号、赤色１０６号、赤色２０１号、赤色２０２号、赤色２０４号、赤色２０５号、赤色２２０号、赤色２２���号、赤色２２７号、赤色２２８号、赤色２３０号、赤色４０１号、赤色５０５号、黄色４号、黄色５号、黄色２０２号、黄色２０３号、黄色２０４号、黄色４０１号、青色１号、青色２号、青色２０１号、青色４０４号、緑色３号、緑色２０１号、緑色２０４号、緑色２０５号、橙色２０１号、橙色２０３号、橙色２０４号、橙色２０６号、橙色２０７号等；天然色素としては、カルミン酸、ラッカイン酸、カルサミン、ブラジリン、クロシン等から選ばれる粉体である。
【００４８】
これらの粉体は本発明の効果を妨げない範囲で、粉体を複合化したものや、一般油剤、シリコーン油、フッ素化合物、界面活性剤等で処理したものも使用することができ、加水分解性シリル基やケイ素原子に直接結合した水素原子を有するアルキル基で処理したもの、加水分解性シリル基やケイ素原子に直接結合した水素原子を有する直鎖状及び／又は分岐状のオルガノポリシロキサン、加水分解性シリル基やケイ素原子に直接結合した水素原子を有し長鎖アルキルで共変性された直鎖状及び／又は分岐状オルガノポリシロキサン、加水分解性シリル基やケイ素原子に直接結合した水素原子を有しポリオキシアルキレンで共変性された直鎖状及び／又は分岐状オルガノポリシロキサン、加水分解性シリル基やケイ素原子に直接結合した水素原子を有するアクリル−シリコーン系共重合体等も必要に応じて一種、又は二種以上用いることができる。
【００４９】
また、粉体の配合量としては、化粧料全体の０．１〜９９質量％の範囲が好適である。特に、粉末固形化粧料の場合の配合量としては、化粧料全体の８０〜９９質量％の範囲が好適である。
【００５０】
本発明の化粧料には、その目的に応じて１種又は２種以上の界面活性剤を用いることもできる。このような界面活性剤としては、アニオン性、カチオン性、非イオン性及び両性の活性剤があるが、特に制限されるものではなく、通常の化粧料に使用されるものであれば、いずれのものも使用することができる。
【００５１】
アニオン性界面活性剤としては、ステアリン酸ナトリウムやパルミチン酸トリエタノールアミン等の脂肪酸セッケン、アルキルエーテルカルボン酸及びその塩、アミノ酸と脂肪酸の縮合物塩、アルカンスルホン酸塩、アルケンスルホン酸塩、脂肪酸エステルのスルホン酸塩、脂肪酸アミドのスルホン酸塩、ホルマリン縮合系スルホン酸塩、アルキル硫酸エステル塩、第二級高級アルコール硫酸エステル塩、アルキル及びアリルエーテル硫酸エステル塩、脂肪酸エステルの硫酸エステル塩、脂肪酸アルキロールアミドの硫酸エステル塩、ロート油等の硫酸エステル塩類、アルキルリン酸塩、エーテルリン酸塩、アルキルアリルエーテルリン酸塩、アミドリン酸塩、Ｎ−アシル乳酸塩、Ｎ−アシルサルコシン塩、Ｎ−アシルアミノ酸系活性剤等が挙げられる。
【００５２】
カチオン性界面活性剤としては、アルキルアミン塩、ポリアミン及びアミノアルコール脂肪酸誘導体等のアミン塩、アルキル四級アンモニウム塩、芳香族四級アンモニウム塩、ピリジウム塩、イミダゾリウム塩等が挙げられる。
【００５３】
非イオン性界面活性剤としては、ソルビタン脂肪酸エステル、グリセリン脂肪酸エステル、ポリグリセリン脂肪酸エステル、プロピレングリコール脂肪酸エステル、ポリエチレングリコール脂肪酸エステル、ショ糖脂肪酸エステル、メチルグルコシド脂肪酸エステル、アルキルポリグルコシド、ポリオキシエチレンアルキルエーテル、ポリオキシプロピレンアルキルエーテル、ポリオキシエチレンアルキルフェニルエーテル、ポリオキシエチレン脂肪酸エステル、ポリオキシエチレンソルビタン脂肪酸エステル、ポリオキシエチレンソルビトール脂肪酸エステル、ポリオキシエチレングリセリン脂肪酸エステル、ポリオキシエチレンプロピレングリコール脂肪酸エステル、ポリオキシエチレンヒマシ油、ポリオキシエチレン硬化ヒマシ油、ポリオキシエチレンフィトスタノールエーテル、ポリオキシエチレンフィトステロールエーテル、ポリオキシエチレンコレスタノールエーテル、ポリオキシエチレンコレステリルエーテル、直鎖或いは分岐状ポリオキシアルキレン変性オルガノポリシロキサン、直鎖或いは分岐状ポリオキシアルキレン・アルキル共変性オルガノポリシロキサン、直鎖状或いは分岐状のポリグリセリン変性オルガノポリシロキサン、直鎖状或いは分岐状ポリグリセリン・アルキル共変性オルガノポリシロキサン、アルカノールアミド、糖エーテル、糖アミド等が挙げられる。
【００５４】
両性界面活性剤としては、ベタイン、ホスファチジルコリン、アミノカルボン酸塩、イミダゾリン誘導体、アミドアミン型等が挙げられる。これらの界面活性剤の中でも、分子中にポリオキシアルキレン鎖、または、ポリグリセリン鎖を有する直鎖又は分岐状オルガノポリシロキサン、或いはさらに炭素数６〜２０の長鎖アルキル基を有する直鎖又は分岐状オルガノポリシロキサンであることが好ましい。
【００５５】
また、これらの界面活性剤において、親水性のポリオキシアルキレン基、またはポリグリセリン残基の含有量が、分子中の１０〜７０質量％を占めることが好ましく、配合量としては、化粧料全体の０．１〜２０質量％、特に好ましくは、０．２〜１０質量％の範囲が好適である。
【００５６】
本発明の化粧料には、アクリルシリコーン樹脂及び網状シリコーン樹脂から選ばれるシリコーン樹脂を含んでよい。アクリルシリコーン樹脂はアクリル／シリコーングラフト又はブロック共重合体である。また、ピロリジニル基、長鎖アルキル基、ポリオキシアルキレン基分及びフルオロアルキル基、カルボキシル基などのアニオン性の基の中から選択される少なくとも１種を分子中に含有するアクリルシリコーン樹脂を使用することもできる。
【００５７】
網状シリコーン樹脂はＲ13ＳｉＯ0.5単位とＳｉＯ2単位から構成される樹脂、Ｒ13ＳｉＯ0.5単位とＲ12ＳｉＯ単位及びＳｉＯ2単位から構成される樹脂、Ｒ13ＳｉＯ0.5単位とＲ1ＳｉＯ1.5単位から構成される樹脂、Ｒ13ＳｉＯ0.5単位とＲ12ＳｉＯ単位及びＲ1ＳｉＯ1.5単位から構成される樹脂、Ｒ13ＳｉＯ0.5単位、Ｒ12ＳｉＯ単位、Ｒ1ＳｉＯ1.5単位及びＳｉＯ2単位から構成される樹脂から選ばれる。また、ピロリジニル基、長鎖アルキル基、ポリオキシアルキレン基及びフルオロアルキル基、アミノ基の中から選択される少なくとも１種を分子中に含有する網状シリコーンを使用することもできる。シリコーン樹脂を用いる場合の配合量としては、化粧料の総量に対して０．１〜２０質量％が好ましく、更に好ましくは１〜１０質量％である。
【００５８】
本発明の化粧料には、その目的に応じて１種又は２種以上の架橋型オルガノポリシロキサンと室温で液状の油剤からなる組成物を用いることもできる。この架橋型オルガノポリシロキサンは、液状油に対し、自重以上の該液状油を含んで膨潤することが好ましい。液状油としては、上記液状のシリコーン油、炭化水素油、エステル油、天然動植物油、半合成油等、フッ素系油を用いることができ、たとえば、０．６５ｍｍ２／秒（２５℃）〜１００．０ｍｍ２／秒（２５℃）の低粘度シリコーン油、流動パラフィン、スクワラン、イソドデカン、イソヘキサデカン等の炭化水素油やトリオクタノイン等のグリセライド油、イソノナン酸イソトリデシル、Ｎ−アシルグルタミン酸エステル、ラウロイルサルコシン酸エステル等のエステル油、マカデミアナッツ油などの天然動植物油が挙げられる。また、この架橋型オルガノポリシロキサンの架橋剤は、分子中に二つ以上のビニル性反応部位を持ち、かつ、ケイ素原子に直接結合した水素原子との間で反応することにより、架橋構造を形成するものであることが好ましい。分子中に二つ以上のビニル性反応部位を持つものとしては、分子中に二つ以上のビニル基を有するオルガノポリシロキサン、分子中に二つ以上のアリル基を有するポリオキシアルキレン、分子中に二つ以上のアリル基を有するポリグリセリン、α、ω−アルケニルジエンなどが挙げられる。また、ポリオキシアルキレン基、ポリグリセリン残基、長鎖アルキル基、アルケニル基、アリール基、及びフルオロアルキル基からなる群から選択される少なくとも１種を有する架橋剤を使用することもできる。架橋型オルガノポリシロキサンと室温で液状の油剤からなる組成物を用いる場合の配合量としては、化粧料の総量に対して０．１〜８０質量％が好ましく、更に好ましくは１〜５０質量％である。
【００５９】
本発明の化粧料には、その目的に応じて１種又は２種以上のα−オレフィンとジエンを反応させて得られる不飽和基を有するオレフィンワックスと１分子１個以上のＳｉＨ結合を有するオルガノハイドロジェンポリシロキサンとを付加反応させることによって得られるシリコーン変性オレフィンワックスを含むことができる。α−オレフィンとしてはエチレン、プロピレン、１−ブテン、１−ヘキセン、４−メチル１−ペンテンなどの炭素原子数２〜１２が好ましく、ジエンとしてはブタジエン、イソプレン、１．４ヘキサジエン、ビニルノルボルネン、エチリデンノルボルネン、ジシクロペンタジエン、などが好ましい。ＳｉＨ結合を有するオルガノハイドロジェンポリシロキサンは直鎖状やシロキサン分岐型等の構造のものが使用できる。
【００６０】
更に本発明の化粧料には、本発明の効果を妨げない範囲で通常の化粧料に使用される成分、油溶性ゲル化剤、有機変性粘土鉱物、制汗剤、紫外線吸収剤、紫外線吸収散乱剤、保湿剤、防腐剤、抗菌剤、香料、塩類、酸化防止剤、ｐＨ調整剤、キレート剤、清涼剤、抗炎症剤、美肌用成分（美白剤、細胞賦活剤、肌荒れ改善剤、血行促進剤、皮膚収斂剤、抗脂漏剤等）、ビタミン類、アミノ酸類、核酸、ホルモン、包接化合物、毛髪用固形化剤等を添加することができる。
【００６１】
油溶性ゲル化剤としては、アルミニウムステアレート、マグネシウムステアレート、ジンクミリステート等の金属セッケン、Ｎ−ラウロイル−Ｌ−グルタミン酸、α，γ−ジ−ｎ−ブチルアミン等のアミノ酸誘導体、デキストリンパルミチン酸エステル、デキストリンステアリン酸エステル、デキストリン２−エチルヘキサン酸パルミチン酸エステル等のデキストリン脂肪酸エステル、ショ糖パルミチン酸エステル、ショ糖ステアリン酸エステル等のショ糖脂肪酸エステル、フラクトオリゴ糖ステアリン酸エステル、フラクトオリゴ糖２−エチルヘキサン酸エステル等のフラクトオリゴ糖脂肪酸エステル、モノベンジリデンソルビトール、ジベンジリデンソルビトール等のソルビトールのベンジリデン誘導体、ジメチルベンジルドデシルアンモニウムモンモリロナイトクレー、ジメチルジオクタデシルアンモニウムモンモリナイトクレー等の有機変性粘土鉱物等から選ばれるゲル化剤が挙げられる。
【００６２】
制汗剤としては、アルミニウムクロロハイドレート、塩化アルミニウム、アルミニウムセスキクロロハイドレート、ジルコニルヒドロキシクロライド、アルミニウムジルコニウムヒドロキシクロライド、アルミニウムジルコニウムグリシン錯体等から選ばれる制汗剤が挙げられる。
【００６３】
紫外線吸収剤としては、パラアミノ安息香酸等の安息香酸系紫外線吸収剤、アントラニル酸メチル等のアントラニル酸系紫外線吸収剤、サリチル酸メチル、サリチル酸オクチル、サリチル酸トリメチルシクロヘキシル等のサリチル酸系紫外線吸収剤、パラメトキシケイ皮酸オクチル等のケイ皮酸系紫外線吸収剤、２，４−ジヒドロキシベンゾフェノン等のベンゾフェノン系紫外線吸収剤、ウロカニン酸エチル等のウロカニン酸系紫外線吸収剤、４−ｔ−ブチル−４’−メトキシ−ジベンゾイルメタン等のジベンゾイルメタン系紫外線吸収剤、フェニルベンズイミダゾールスルフォン酸、トリアジン誘導体等が挙げられ、紫外線吸収散乱剤としては微粒子酸化チタン、微粒子鉄含有酸化チタン、微粒子酸化亜鉛、微粒子酸化セリウム及びそれらの複合体等、紫外線を吸収散乱する粉体が挙げられ、これらの紫外線を吸収散乱する粉体をあらかじめ油剤に分散させた分散物を用いることもできる。
【００６４】
保湿剤としては、グリセリン、ソルビトール、プロピレングリコール、ジプロピレングリコール、１，３−ブチレングリコール、ペンチレングリコール、グルコース、キシリトール、マルチトール、ポリエチレングリコール、ヒアルロン酸、コンドロイチン硫酸、ピロリドンカルボン酸塩、ポリオキシエチレンメチルグルコシド、ポリオキシプロピレンメチルグルコシド、卵黄レシチン、大豆レシチン、ホスファチジルコリン、ホスファチジルエタノールアミン、ホスファジチルセリン、ホスファチジルグリセロール、ホスファチジルイノシトール、スフィンゴリン脂質等がある。
【００６５】
防菌防腐剤としては、パラオキシ安息香酸アルキルエステル、安息香酸、安息香酸ナトリウム、ソルビン酸、ソルビン酸カリウム、フェノキシエタノール等、抗菌剤としては、安息香酸、サリチル酸、石炭酸、ソルビン酸、パラオキシ安息香酸アルキルエステル、パラクロルメタクレゾール、ヘキサクロロフェン、塩化ベンザルコニウム、塩化クロルヘキシジン、トリクロロカルバニリド、感光素、フェノキシエタノール等がある。
【００６６】
塩類としては無機塩、有機酸塩、アミン塩及びアミノ酸塩が挙げられる。無機塩としては、たとえば、塩酸、硫酸、炭酸、硝酸等の無機酸のナトリウム塩、カリウム塩、マグネシウム塩、カルシウム塩、アルミニウム塩、ジルコニウム塩、亜鉛塩等；有機酸塩としては、例えば酢酸、デヒドロ酢酸、クエン酸、りんご酸、コハク酸、アスコルビン酸、ステアリン酸等の有機酸類の塩；アミン塩及びアミノ酸塩としては、例えば、トリエタノールアミン等のアミン類の塩、グルタミン酸等のアミノ酸類の塩等がある。また、その他、ヒアルロン酸、コンドロイチン硫酸等の塩、アルミニウムジルコニウムグリシン錯体等や、更には、化粧品処方の中で使用される酸−アルカリの中和塩等も使用することができる。
酸化防止剤としては、トコフェロール、ｐ−ｔ−ブチルフェノール、ブチルヒドロキシアニソール、ジブチルヒドロキシトルエン、フィチン酸等、ｐＨ調整剤としては、乳酸、クエン酸、グリコール酸、コハク酸、酒石酸、ｄｌ−リンゴ酸、炭酸カリウム、炭酸水素ナトリウム、炭酸水素アンモニウム等、キレート剤としては、アラニン、エデト酸ナトリウム塩、ポリリン酸ナトリウム、メタリン酸ナトリウム、リン酸等、清涼剤としては、Ｌ−メントール、カンフル等、抗炎症剤としては、アラントイン、グリチルリチン酸及びその塩、グリチルレチン酸及びグリチルレチン酸ステアリル、トラネキサム酸、アズレン等が挙げられる。
【００６７】
美肌用成分としては、胎盤抽出液、アルブチン、グルタチオン、ユキノシタ抽出物等の美白剤、ロイヤルゼリー、感光素、コレステロール誘導体、幼牛血液抽出液等の細胞賦活剤、肌荒れ改善剤、ノニル酸ワレニルアミド、ニコチン酸ベンジルエステル、ニコチン酸β−ブトキシエチルエステル、カプサイシン、ジンゲロン、カンタリスチンキ、イクタモール、カフェイン、タンニン酸、α−ボルネオール、ニコチン酸トコフェロール、イノシトールヘキサニコチネート、シクランデレート、シンナリジン、トラゾリン、アセチルコリン、ベラパミル、セファランチン、γ−オリザノール等の血行促進剤、酸化亜鉛、タンニン酸等の皮膚収斂剤、イオウ、チアントロール等の抗脂漏剤等が挙げられる。
【００６８】
ビタミン類としては、ビタミンＡ油、レチノール、酢酸レチノール、パルミチン酸レチノール等のビタミンＡ類、リボフラビン、酪酸リボフラビン、フラビンアデニンヌクレオチド等のビタミンＢ２類、ピリドキシン塩酸塩、ピリドキシンジオクタノエート、ピリドキシントリパルミテート等のビタミンＢ６類、ビタミンＢ１２及びその誘導体、ビタミンＢ１５及びその誘導体等のビタミンＢ類、Ｌ−アスコルビン酸、Ｌ−アスコルビン酸ジパルミチン酸エステル、Ｌ−アスコルビン酸−２−硫酸ナトリウム、 Ｌ−アスコルビン酸リン酸ジエステルジカリウム等のビタミンＣ類、エルゴカルシフェロール、コレカルシフェロール等のビタミンＤ類、α−トコフェロール、β−トコフェロール、γ−トコフェロール、酢酸ｄｌ−α−トコフェロール、ニコチン酸ｄｌ−α−トコフェロール、コハク酸ｄｌ−α−トコフェロール等のビタミンＥ類、ビタミンＨ、ビタミンＰ、ニコチン酸、ニコチン酸ベンジル、ニコチン酸アミド等のニコチン酸類、パントテン酸カルシウム、Ｄ−パントテニルアルコール、パントテニルエチルエーテル、アセチルパントテニルエチルエーテル等のパントテン酸類、ビオチン等がある。
【００６９】
アミノ酸類としては、グリシン、バリン、ロイシン、イソロイシン、セリン、トレオニン、フェニルアラニン、アルギニン、リジン、アスパラギン酸、グルタミン酸、シスチン、システイン、メチオニン、トリプトファン等、核酸としては、デオキシリボ核酸等、ホルモンとしては、エストラジオール、エテニルエストラジオール等が挙げられる。
【００７０】
毛髪固定用高分子化合物としては、両性、アニオン性、カチオン性、非イオン性の各高分子化合物が挙げられ、ポリビニルピロリドン、ビニルピロリドン／酢酸ビニル共重合体等の、ポリビニルピロリドン系高分子化合物、メチルビニルエーテル／無水マレイン酸アルキルハーフエステル共重合体等の酸性ビニルエーテル系高分子化合物、酢酸ビニル／クロトン酸共重合体等の酸性ポリ酢酸ビニル系高分子、（メタ）アクリル酸／アルキル（メタ）アクリレート共重合体、（メタ）アクリル酸／アルキル（メタ）アクリレート／アルキルアクリルアミド共重合体等の酸性アクリル系高分子化合物、Ｎ−メタクリロイルエチル−Ｎ、Ｎ−ジメチルアンモニウム・α−Ｎ−メチルカルボキシベタイン／アルキル（メタ）アクリレート共重合体、ヒドロキシプロピル（メタ）アクリレート／ブチルアミノエチルメタクリレート／アクリル酸オクチルアミド共重合体等の両性アクリル系高分子化合物が挙げられる。また、セルロースまたはその誘導体、ケラチンおよびコラーゲンまたはその誘導体等の天然由来高分子化合物も好適に用いることができる。
【００７１】
本発明において、化粧料の剤形もしくは形態は特に限定されず、水性、油性、油中水型エマルジョン、水中油型エマルジョン、非水エマルジョン、Ｗ／Ｏ／ＷやＯ／Ｗ／Ｏなどのマルチエマルジョン、サスペンジョン、ペースト、固形であってよい。
【００７２】
化粧料の用途も任意のものであってよい。例えば、化粧水、乳液、クリーム、クレンジング、パック、オイルリキッド、マッサージ料、美容液、美容オイル、ハンドクリーム、リップクリーム、しわ隠し等のスキンケア化粧料；メークアップ下地、コンシーラー、白粉、パウダーファンデーション、リキッドファンデーション、クリームファンデーション、油性ファンデーション、頬紅、アイシャドウ、マスカラ、アイライナー、アイブロウ、口紅等のメークアップ化粧料；シャンプー、リンス、トリートメント、セット剤等の毛髪化粧料；日焼け止めオイルや日焼け止め乳液、日焼け止めクリームなどの紫外線防御化粧料；その他、洗浄剤、脱臭剤、制汗剤等が挙げられる。
【実施例】
【００７３】
以下に、本発明に関して実施例を挙げて説明するが、本発明は、これらに限定されるものではない。
【００７４】
＜実施例１＞
反応器に下記式（１１）で表されるオルガノハイドロジェンポリシロキサン２３４質量部と、
2011026498.tif 000019
下記式（１２）で表される無水アリルコハク酸４４．１質量部と、
2011026498.tif 000020
トルエン１００質量部を仕込み、そこへ、塩化白金酸０．５質量％のトルエン溶液０．１部を加えた後、還流下で２時間反応させた。反応物を減圧下で加熱してトルエンを溜去し、下記式（１３）で表される酸無水物基含有オルガノポリシロキサンを得た。
2011026498.tif 000021
2011026498.tif 000022
上記酸無水物基含有オルガノポリシロキサン２５０質量部にステアリルアルコール７７質量部、酢酸ナトリウム０．０１質量部を添加し、８０℃で２時間反応させた。反応物を減圧蒸留に付して、下記式（１４）で表されるオルガノポリシロキサンを得た。
2011026498.tif 000023
2011026498.tif 000024
【００７５】
＜実施例２＞
反応器に下記式（１５）で表されるオルガノハイドロジェンポリシロキサン２４１質量部と、
2011026498.tif 000025
上記式（１２）で表される無水アリルコハク酸１４．７質量部と、トルエン１００質量部を仕込み、塩化白金酸０．５質量％のトルエン溶液０．１部を加えた後、還流下で２時間反応させた。反応物を減圧下で加熱して溶剤を溜去し、下記式（１６）で表される酸無水物基含有オルガノポリシロキサンを得た。
2011026498.tif 000026
2011026498.tif 000027
上記酸無水物基含有オルガノポリシロキサン２５５質量部にモノオレイン酸グリセリル２５．７質量部、酢酸ナトリウム０．０１質量部を添加し、８０℃で２時間反応させた。反応物を減圧蒸留に付して、下記式（１７）で表されるカルボキシル基含有オルガノポリシロキサンを得た。
2011026498.tif 000028
2011026498.tif 000029
【００７６】
＜実施例３＞
反応器に下記式（１８）で表されるオルガノハイドロジェンポリシロキサン３４０質量部と、
2011026498.tif 000030
上記式（１２）で表される無水アリルコハク酸５８．８質量部と、トルエン１００質量部を仕込み、塩化白金酸０．５質量％のトルエン溶液０．１部を加えた後、還流下で２時間反応させた。反応物を減圧下で加熱して溶剤を溜去し、下記式（１９）で表される酸無水物基含有オルガノポリシロキサンを得た。
2011026498.tif 000031
2011026498.tif 000032
上記酸無水物基含有オルガノポリシロキサン２５０質量部にトリプロピレングリコールモノウンデシルエーテル９１質量部、酢酸ナトリウム０．０１質量部を添加し、８０℃で２時間反応させた。反応物を減圧蒸留に付して、下記式（２０）で表されるカルボキシル基含有オルガノポリシロキサンを得た。
2011026498.tif 000033
2011026498.tif 000034
【００７７】
＜実施例４＞
反応器に下記式（２１）で表されるオルガノハイドロジェンポリシロキサン２４０質量部と、
2011026498.tif 000035
上記式（１２）で表される無水アリルコハク酸２８．０質量部と、下記式（２２）で表される片末端にビニル基を有するオルガノポリシロキサン１６８質量部と
2011026498.tif 000036
トルエン１００質量部を仕込み、塩化白金酸０．５質量％のトルエン溶液０．１部を加えた後、還流下で２時間反応させた。反応物を減圧下で加熱して溶剤を溜去し、下記平均式（２３）で表される酸無水物基含有オルガノポリシロキサンを得た。
2011026498.tif 000037
2011026498.tif 000038
2011026498.tif 000039
上記酸無水物基含有オルガノポリシロキサン２５０質量部にジイソステアリン酸グリセリル７１．６質量部、酢酸ナトリウム０．０１質量部を添加し、８０℃で２時間反応させた。反応物を減圧蒸留に付して、下記式（２４）で表されるオルガノポリシロキサンを得た。
2011026498.tif 000040
2011026498.tif 000041
2011026498.tif 000042
【００７８】
＜実施例５〜８、比較例１〜５＞
下記表１に示す組成の乳化化粧料（配合量は質量％を示す）を下記方法で調製した。
（製造方法）
成分１〜１２をデイスパーミキサーを用いて１５００ｒｐｍで攪拌混合した後、成分１３をゆっくり添加し、乳化した。
得られた乳化化粧料の１００ｇを密閉容易に入れて、室温で１週間静置後、その乳化状態を目視にて観察し、下記基準で評価した。
（評価基準）    ○：分離なし、△：わずかに分離、×：二層に分離
【００７９】
【表１】
2011026498.tif 000043
(注１)下記式で示されるアルキル変性ポリシロキサン
2011026498.tif 000044
(注２)下記式で示されるアルキル変性ポリシロキサン
2011026498.tif 000045
（注３）下記式で示されるポリシロキサン
2011026498.tif 000046
（注４）下記式で示されるポリエーテル変性ポリシロキサン
2011026498.tif 000047
（注５）下記式で示されるポリエーテル変性ポリシロキサン
2011026498.tif 000048
【００８０】
表１に示すように、エステル結合を欠くアルキル変性シリコーンを用いた比較例１及び２、アルキル変性シリコーン未添加の比較例４の乳化化粧料は、油相が十分に均一ではなく乳化系の安定性を欠いた。特に比較例４は早期に二相分離した。これらに対して、実施例５〜８の乳化化粧料は１週間経過後も初期乳化状態を維持していた。
【００８１】
＜実施例９〜１２、比較例５〜７＞
実施例１〜４で得られたオルガノポリシロキサンを使用して、表２に示す処方（質量部）のＷ／Ｏ型クリームファンデーションを作成し、女性５０名の専門パネルにより評価を行った。
【００８２】
【表２】
2011026498.tif 000049
（注１）〜（注４）は上記のとおり
（注６）ハイブリッドシリコーン複合粉体：ＫＳＰ−１００、信越化学工業（株）製
（注７）架橋型グリセリン変性シリコーン組成物：ＫＳＧ−７１０、信越化学工業（株）製
（注８）シリコーン処理顔料：粉体に対して２％のメチルハイドロジェンポリシロキサン添加後、加熱処理したもの
（製造方法）
Ａ：成分１〜１０、１１の一部、成分１２〜１４を混合した。
Ｂ：成分１５、１６、１１の残部を混合した。
Ｃ：成分１７〜２１を２２に溶解した。
Ｄ：Ｃで得られた溶液をＡで得られた混合物に加え乳化した。
Ｅ：成分２１、及びＢで得られた混合物、Ｄで得られた乳化物を均一に混合して、ファンデーションを得た。
【００８３】
得られたファンデーションについて、女性５０名の専門パネルにより、使用テストを行ない、皮膚への密着性、伸びの軽さ、膜の均一性の良さ、化粧持ちの良さについて、下記基準により評価した。
［評価基準］    
2011026498.tif 000050
評価項目毎に、全パネルの評価点の平均を取った。表３における、各符号の意味は以下のとおりである。
2011026498.tif 000051
【００８４】
【表３】
2011026498.tif 000052
【００８５】
表３に示すように、エステル結合を欠くアルキル変性シリコーンを用いた比較例５、６は、顔料の分散性が悪く、伸び性及び化粧膜の均一性の点で劣った。これらのファンデーションは、室温で１週間放置しておいたところ、顔料が沈降してしまった。また、比較例５、７のファンデーションは、塗付時の密着性は良好であったが、化粧持ちが悪かった。これに対して、実施例９〜１２のファンデーションは分散系のきめが細かく、伸びが軽く、化粧膜も均一であり、密着性に優れ、化粧持ちが良かった。
【００８６】
以下の実施例において、経時安定性は化粧料を密閉容器内に入れて５０℃で1ヶ月放置した後の外観の変化が無いことによって確認した。
＜実施例１３＞  Ｗ／Ｏ型クリーム
2011026498.tif 000053
（注１０）ポリグリセリン変性シリコーン：ＫＦ−６１０５、信越化学工業（株）製
（製造方法）
Ａ：成分１〜６を均一に混合した。
Ｂ：成分７〜１１を混合した後、Ａで得られた混合物に加えて乳化した。
以上のようにして得られたクリームは、油っぽさがなく、のび広がりも軽く、皮膚への密着感に優れ、安定性の良いＷ／Ｏ型クリームであった。
【００８７】
＜実施例１４＞  Ｗ／Ｏ型メークアップ下地
2011026498.tif 000054
（注５）上記のとおり
（注１１）架橋型ポリエーテル変性シリコーン組成物：ＫＳＧ−２１０（商品名）、信越化学工業（株）製
（注１２）架橋型ジメチルポリシロキサン組成物：ＫＳＧ−１６（商品名）、信越化学工業（株）製
（注１３）酸化チタン／シクロペンタシロキサン分散物：ＳＰＤ−Ｔ５（商品名）、信越化学工業（株）製
（注１４）メチルセルロ−ス：メトローズ６５−ＳＨ４０００（商品名）、信越化学工業（株）製
（製造方法）
Ａ：成分１〜８を均一に混合した。
Ｂ：成分９〜１５を混合した後、Ａで得られた混合物に加えて乳化した。
以上のようにして得られたメークアップ下地は、油っぽさがなく、のび広がりも軽く、安定性に優れていた。皮膚上の化粧膜は、マット感のある仕上がりであり密着感に優れ、持ちがよかった。
【００８８】
＜実施例１５＞  Ｏ／Ｗクリーム
2011026498.tif 000055
（注１０）上記のとおり
（注１５）ポリアクリルアミド系混合物：セピゲル３０５（商品名）、ＳＥＰＩＣ製
（製造方法）
Ａ：成分１〜４を均一に混合した。
Ｂ：成分５〜１１を混合した。
Ｃ：Ａで得られた混合物をＢで得られた混合物に加えて乳化した。
以上のようにして得られたクリームは、のび広がりが軽くて油っぽさがない上、さっぱり感を与え、安定性に優れたＯ／Ｗ型クリームであった。
【００８９】
＜実施例１６＞口紅
2011026498.tif 000056
（注１０）上記のとおり
（注１６）アクリレート／ジメチルシリコーン共重合体：ＫＰ−５６１Ｐ、信越化学工業（株）製
（製造方法）
Ａ：成分６〜１０を均一に混合した。
Ｂ：成分１〜５を加熱（９０℃）混合して溶融したところに、Ａで得られた混合物を加えて均一にした。
Ｃ：８０℃で、成分１１〜１３をＢで得られた混合物に加えて均一にした。
以上のようにして得られた口紅は、のびが軽くて油っぽさや粉っぽさがない上、耐水性や撥水性が良好で持ちも良く、安定性にも優れていた。
【００９０】
＜実施例１７＞非水エマルジョン
2011026498.tif 000057
（注１０）上記のとおり
（製造方法）
Ａ：成分１〜６を均一に混合した。
Ｂ：成分７をＡで得られた混合物に加え均一に分散した。
以上のようにして得られた非水エマルジョンは、のび広がりが軽くて油っぽさがなく、後肌のしっとりした、安定性の良い非水エマルジョンであった。
【産業上の利用可能性】
【００９１】
本発明のオルガノポリシロキサンは、シリコーン以外の油剤との相溶性、分散性、及び皮膚との親和性に優れ、シリコーンオイルと極性溶媒、さらに粉体を含む皮膚化粧料を製造するのに大変有用である。